(57)【要約】【課題】各商品選択部及び各商品情報表示部がそれぞれ異なる制御部によって制御される場合に、各商品選択部と各商品情報表示部との対応付け処理を容易に行うことの可能な自動販売機を提供する。【解決手段】複数の商品サンプルのそれぞれに対応するように設けられた複数の商品選択ボタン１４及び複数の商品情報表示部１５と、各商品選択ボタン１４との通信が可能に設けられ、各商品選択ボタン１４を用いて商品が選択されると該商品の販売処理を行う第１の制御部１００と、各商品情報表示部１５との通信が可能であるとともに、第１の制御部１００と別個且つ通信可能に設けられ、各商品情報表示部１５を制御する第２の制御部２００とを備え、第２の制御部２００は、第１の制御部１００から送信された所定の制御情報を受信すると、制御情報に基づき各商品選択ボタン１４と各商品情報表示部１５との対応付け処理を行う。【選択図】図４
2011028439.tif 000002
【特許請求の範囲】
【請求項１】
複数の商品サンプルのそれぞれに対応するように設けられた複数の商品選択部と、
各商品選択部との通信が可能に設けられ、各商品選択部を用いて商品が選択されると該商品の販売処理を行う第１の制御部と、
各商品サンプルのそれぞれに対応するように設けられた複数の商品情報表示部と、
各商品情報表示部との通信が可能であるとともに、第１の制御部と別個且つ通信可能に設けられ、各商品情報表示部を制御する第２の制御部とを備え、
第１及び第２の制御部のうち何れか一方の制御部は、各商品選択部と各商品情報表示部との対応付け処理を他方の制御部に実行させることが可能な制御情報を、他方の制御部に送信し、
他方の制御部は、該制御情報を受信すると、該制御情報に基づき各商品選択部と各商品情報表示部との対応付け処理を行う
ことを特徴とする自動販売機。
【請求項２】
前記制御情報には、各商品選択部それぞれに対応する各商品情報表示部を所定の順序で配列した情報が含まれる
ことを特徴とする請求項１記載の自動販売機。
【請求項３】
前記制御情報には、各商品情報表示部それぞれに対応する各商品選択部を所定の順序で配列した情報が含まれる
ことを特徴とする請求項１記載の自動販売機。
【請求項４】
前記第２の制御部は、少なくとも商品の価格を、該商品に対応する商品情報表示部に表示させる
ことを特徴とする請求項１記載の自動販売機。
【請求項５】
前記第２の制御部は、少なくとも商品の冷温状態を、該商品に対応する商品情報表示部に表示させる
ことを特徴とする請求項１記載の自動販売機。
【請求項６】
前記第１の制御部は、各商品選択部それぞれに対応する商品の商品情報を第２の制御部に送信し、
第２の制御部は、第１の制御部から送信された商品情報を受信すると、該商品の商品情報を、該商品に対応する商品情報表示部に表示させる
ことを特徴とする請求項１記載の自動販売機。
【請求項７】
前記第２の制御部は、第１の制御部から送信された所定の指示情報を受信すると、商品情報を、該商品に対応する商品情報表示部に該指示情報に基づく表示態様で表示させ、
第１の制御部は、所定のタイミングで所定の信号を第２の制御部から受信すると、該指示情報の内容を変更して第２の制御部に送信する
ことを特徴とする請求項１記載の自動販売機。
【発明の詳細な説明】
【技術分野】
【０００１】
本発明は、例えば缶入り飲料、紙パック飲料、箱入り菓子等の商品を販売する自動販売機に関する。
【背景技術】
【０００２】
従来、この種の自動販売機として、複数の商品それぞれに対応するように設けられた複数の商品選択部と、各商品それぞれに対応するように設けられた複数の商品情報表示部と、各商品選択部を用いて商品が選択されると該商品の販売処理を行うとともに、各商品の価格等を各商品情報表示部に表示させる制御部とを備えたものが知られている（例えば特許文献１参照）。
【０００３】
このような自動販売機では、一つの制御部が、各商品選択部及び各商品情報表示部のそれぞれを制御していたため、制御部と各商品選択部及び各商品情報表示部との間で多数の制御ポートを設ける必要がある。この場合、制御部が各制御ポートを介して各商品選択部及び各商品情報表示部を制御するので、制御部の負荷が増大し、運用性に劣るという問題があった。
【０００４】
そこで、制御部の負荷を低減させるために、各商品選択部との通信が可能に設けられ、各商品選択部を用いて商品が選択されると該商品の販売処理を行う第１の制御部と、各商品情報表示部との通信が可能に設けられ、各商品情報表示部を制御する第２の制御部とを設け、制御用の通信を各制御部間で行うものが知られている。これにより、各商品選択部及び各商品情報表示部の制御処理にかかる負荷を各制御部に分散させることができるので、運用性の低下を防ぐことができる。
【先行技術文献】
【特許文献】
【０００５】
【特許文献１】特開２００２−１７５５６０号公報
【発明の概要】
【発明が解決しようとする課題】
【０００６】
ところで、各商品選択部及び各商品情報表示部が、それぞれ異なる制御部によって制御される場合には、利用者等の誤操作を防止するために、商品サンプルに対応する各商品選択部と各商品情報表示部との対応付けを行う必要がある。しかしながら、従来の自動販売機には、オペレータが上記対応付け処理を行うためのスイッチ等の操作部が設けられているため、運用時における対応付け処理がオペレータにとって煩雑になるとともに、該操作部を設けたことにより自動販売機の製造コストが嵩むという問題点があった。
【０００７】
本発明は、上記事情に鑑みてなされたものであり、その目的とするところは、各商品選択部及び各商品情報表示部がそれぞれ異なる制御部によって制御される場合に、各商品選択部と各商品情報表示部との対応付け処理を容易に行うことの可能な自動販売機を提供することにある。
【課題を解決するための手段】
【０００８】
本発明は、前記目的を達成するために、複数の商品サンプルのそれぞれに対応するように設けられた複数の商品選択部と、各商品選択部との通信が可能に設けられ、各商品選択部を用いて商品が選択されると該商品の販売処理を行う第１の制御部と、各商品サンプルのそれぞれに対応するように設けられた複数の商品情報表示部と、各商品情報表示部との通信が可能であるとともに、第１の制御部と別個且つ通信可能に設けられ、各商品情報表示部を制御する第２の制御部とを備え、第１及び第２の制御部のうち何れか一方の制御部は、各商品選択部と各商品情報表示部との対応付け処理を他方の制御部に実行させることが可能な制御情報を、他方の制御部に送信し、他方の制御部は、該制御情報を受信すると、該制御情報に基づき各商品選択部と各商品情報表示部との対応付け処理を行う。
【０００９】
これにより、他方の制御部が制御情報を一方の制御部から受信すると、該制御情報に基づき各商品選択部と各商品情報表示部との対応付け処理が行われることから、各商品選択部と各商品情報表示部との対応付け処理を自動的に行うことが可能になる。
【発明の効果】
【００１０】
以上説明したように本発明によれば、各商品選択部と各商品情報表示部との対応付け処理を自動的に行うことができるので、各商品選択部及び各商品情報表示部がそれぞれ異なる制御部によって制御される場合でも、各商品選択部と各商品情報表示部との対応付け処理を容易に行うことができる。従って、上記対応付け処理を行うための操作部が不要になることから、オペレータの利便性を向上させることができるとともに、自動販売機の製造コストを低減させることができる。
【図面の簡単な説明】
【００１１】
【図１】本発明の一実施形態を示す自動販売機の概略構成図
【図２】図１に示した自動販売機の側面断面図
【図３】図１に示した自動販売機の正面要部拡大図
【図４】図１に示した自動販売機の機能ブロック図
【図５】制御情報のデータ構成の一例を示す図
【図６】制御部の動作を説明するシーケンス図
【図７】制御部の動作を説明するシーケンス図
【符号の説明】
【００１２】
１４…複数の商品選択ボタン、１５…複数の商品情報表示部、１００…第１の制御部、２００…第２の制御部、Ｃ…商品、Ｓ…商品サンプル
【発明を実施するための形態】
【００１３】
図１乃至図７は本発明の一実施形態を示すもので、図１は自動販売機の概略構成図、図２は図１に示した自動販売機の側面断面図、図３は図１に示した自動販売機の正面要部拡大図、図４は図１に示した自動販売機の機能ブロック図、図５は制御情報のデータ構成の一例を示す図、図６及び図７は制御部の動作を説明するシーケンス図である。
【００１４】
まず、図１乃至図３を参照して自動販売機の構造について説明する。
【００１５】
自動販売機本体１は箱形を成し、前面を開口した断熱室１ａをその内側に備えている。断熱室１ａは断熱性の仕切り板（図示省略）によって自動販売機本体１の幅方向に並ぶ複数の商品収納庫ＳＲに区分されている。
【００１６】
各商品収納庫ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各商品収納庫ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１７】
また、各商品収納庫ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各商品収納庫ＳＲ内には、商品収納庫ＳＲの温度を検知する温度センサ（図示省略）がそれぞれ設けられている。
【００１８】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１９】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納庫ＳＲを気密状態とするためのパッキン（符号無し）が設けられており、各商品収納庫ＳＲは内扉１１を閉じた状態で独立した断熱空間となる。さらに、内扉１１の下部には、各商品収納庫ＳＲのシュート板３に対応した窓穴１１ａが複数個形成されており、各窓穴１１ａには、シュート板３を滑り落ちる商品Ｃによって押し開けられるフラップドア１１ｂが設けられている。
【００２０】
つまり、この自動販売機では、各商品収納庫ＳＲが独立の断熱空間を構成し、しかも、各商品収納庫ＳＲに蒸発器５と電熱ヒータ６が独立して設けられていることから、後述の温度調整用設定器１７０（図４参照）によって商品収納庫ＳＲ毎に冷却と加温と非冷却・加温の三つのモードの何れか一つを任意に選択して実施することができる。
【００２１】
外扉１２は自動販売機本体１の前面開口に開閉自在に設けられており、この外扉１２の表面上部にはアクリル板等からなる透明板１２ａが設けられている。また、透明板１２ａの後方には、複数の商品サンプルＳを展示する展示室１３が設けられており、展示室１３には、各商品サンプルＳを載置するための複数の商品サンプル載置棚１３ａが上下方向に並列して配置されている。また、各商品サンプルＳの下方には、図３に示すように、商品選択部としての商品選択ボタン１４と、商品情報表示部１５とが、それぞれ商品サンプルＳに対応するように設けられている。商品情報表示部１５は発光ダイオード（ＬＥＤ）や液晶表示部材（ＬＣＤ）からなり、商品Ｃの価格、「ＨＯＴ」や「ＣＯＬＤ」等の冷温状態、販売本数、残数、販売総額、販売期間等の売上データ等を商品情報として表示可能に構成されている。また、商品情報表示部１５には、上述の商品情報以外の情報、例えば人の表情を表現するキャラクター表示や顔文字のような表示も行うことが可能である。
【００２２】
また、外扉１２の前面には、返金指示部としての返却レバー１６、硬貨投入口１７、紙幣投入口１８、投入された貨幣の金額を表示するための金額表示部１９、硬貨返却口２０、商品取出口２１が図１に示すレイアウトで設けられている。また、商品取出口２１には、手動により開放可能なフラップドア２２が設けられ、その内側にはフラップドア１１ｂから排出された商品Ｃを受容する商品受け板２３が設けられている。
【００２３】
次に、図４を参照して図１乃至図３に示した自動販売機の制御系構成について説明する。
【００２４】
第１の制御部１００はＣＰＵ、ＲＡＭ、ＲＯＭ、タイマ回路等を備えたコンピュータから構成されている。第１の制御部１００には、記憶部１１０、搬出駆動部１２０、硬貨処理装置１３０、紙幣処理装置１４０、圧縮機駆動部１５０、ヒータ駆動部１６０、温度調整用設定器１７０、各商品選択ボタン１４、返却レバー１６、金額表示部１９、モデム１８０、通信部１９０、第２の制御部２００が接続されており、第１の制御部１００は制御信号を上記各装置に送信することにより、各装置をそれぞれ制御するようになっている。また、第１の制御部１００には、各商品収納庫ＳＲ毎に配置された商品収納ラック２内の商品Ｃの有無を収納通路２ｂ単位で検知する売切検知部（図示省略）と、各商品収納庫ＳＲの温度を検知する温度検知部（図示省略）とが通信可能に接続されている。第１の制御部１００は、商品選択ボタン１４を用いて商品が選択されると、該商品の販売処理を行う。なお、この販売処理における第１の制御部１００の動作内容は周知の自動販売機と同様であるため、詳細な説明を省略する。
【００２５】
記憶部１１０はＥＥＰＲＯＭ等の書き換え可能な記憶素子であり、第１の制御部１００の制御により情報が記憶される。記憶部１１０には、後述の制御情報が事前に記憶されている。
【００２６】
搬出駆動部１２０は、各商品収納ラック２に設けられた商品搬出機構２ｃの動作、詳しくは商品搬出機構２ｃに用いられているソレノイド等のアクチュエータの動作を制御するためのもので、第１の制御部１００からの制御信号に基づいて所定の商品搬出機構２ｃを動作させて所期の商品搬出を行う。
【００２７】
硬貨処理装置１３０と紙幣処理装置１４０は外扉１２内に配置されていて、硬貨処理装置１３０は硬貨投入口１６を通じて投入された硬貨の真偽識別、計数、収納及び排出を行い、投入硬貨の金額に関するデータを第１の制御部１００に送出する。また、紙幣処理装置１４０は、紙幣投入口１７を通じて投入された紙幣の真偽識別、計数、収納及び排出を行い、投入紙幣の金額に関するデータを第１の制御部１００に送出する。
【００２８】
圧縮機駆動部１５０は、冷凍機を構成する圧縮機９の動作、詳しくは圧縮機９を駆動するためのモータの運転を制御するためのもので、第１の制御部１００からの制御信号に基づいて所期の圧縮機駆動を行う。
【００２９】
ヒータ駆動部１６０は、各電熱ヒータ６への通電を制御するためのもので、第１の制御部１００からの制御信号に基づいて所定の電熱ヒータ６への通電を行う。
【００３０】
温度調整用設定器１７０は、先に述べた冷却と加温と非冷却・加温の三つのモードの何れか一つを各商品収納庫ＳＲ毎に選択するためのもので、モード選択用の押しボタンスイッチ等を備え、選択されたモードに関するデータを第１の制御部１００に送出する。
【００３１】
モデム１８０は公衆電話回線１８１等を利用して外部サーバ等との間でデータ通信を行うためのものであり、通信部１９０は、リモコン（図示省略）等の携帯型情報端末との間で、赤外線等を利用したデータ通信を行うためのものである。
【００３２】
第２の制御部２００はＣＰＵ、ＲＡＭ、ＲＯＭ、タイマ回路等を備えたコンピュータから構成されている。第２の制御部２００は第１の制御部１００と別個に設けられており、第２の制御部２００には、各商品情報表示部１５及び記憶部２１０が通信可能に接続されている。また、第２の制御部２００は、第１の制御部１００から送信された商品情報を、該商品に対応する商品情報表示部１５に表示させるようになっている。
【００３３】
記憶部２１０はＥＥＰＲＯＭ等の書き換え可能な記憶素子であり、第２の制御部２００の制御により情報が記憶される。記憶部２１０には、第１の制御部１００から送信された制御情報が記憶される。
【００３４】
ここで、制御情報のデータ構成について図５を参照して説明する。制御情報は、各商品選択ボタン１４と各商品情報表示部１５との対応付け処理を第２の制御部２００に実行させるための情報であり、「商品選択ボタンＮｏ．」と、「商品選択ボタン有無」と、「商品情報表示部Ｎｏ．」と、「商品選択ボタン配列順」とから構成されている。「商品選択ボタンＮｏ．」は、第１の制御部１００によって制御可能な商品選択ボタン１４の数を表したものであり、本実施形態では、１〜４８の番号が割り当てられている。「商品選択ボタン有無」は、「商品選択ボタンＮｏ．」に対応する商品選択ボタン１４の有無をビットのオン・オフで表したものであり、本実施形態では、図４に示すように、商品サンプル載置棚１３ａの上段及び下段にそれぞれ１０個の商品選択ボタン１４が配置され（商品選択ボタンＮｏ．１〜１０及び３３〜４２に対応）、商品サンプル載置棚１３ａの中段に８個の商品選択ボタン１４が配置されている（商品選択ボタンＮｏ．１７〜２０及び２３〜２６に対応）。「商品情報表示部Ｎｏ．」は、商品サンプル載置棚１３ａに設けられた商品選択ボタン１４に対応する商品情報表示部１５の番号を、所定の順序で配列したものであり、本実施形態では、商品サンプル載置棚１３ａの上段左端に設けられた商品情報表示部１５を起点として昇順（１〜２８）に割り当てられている。「商品選択ボタン配列順」は、「商品選択ボタンＮｏ．」の配列順を表す情報であり、本実施形態では、「商品サンプル載置棚１３ａの上段左端から昇順」に番号が付与されている。
【００３５】
なお、「商品情報表示部Ｎｏ．」については種々の割り当て方法を用いることができ、例えば商品情報表示部１５の番号を、商品サンプル載置棚１３ａの下段右端に設けられた商品情報表示部１５を起点として昇順に割り当ててもよい。また、商品情報表示部１５の番号を、商品サンプル載置棚１３ａの上段・中段・下段の何れか一つを起点として順に割り当てることも可能である。さらに、商品情報表示部１５が第２の制御部２００に接続された順に番号を割り当てるようにしてもよい。
【００３６】
次に、本実施形態における各商品選択ボタン１４と各商品情報表示部１５との対応付け処理を行う際の第１及び第２の制御部１００，２００の動作について、図６のシーケンス図を参照して説明する。
【００３７】
まず、電源が投入されると、第１の制御部１００は、第２の制御部２００に対して機器情報の送信を要求する（ステップＳ１）。第２の制御部２００は、第１の制御部１００からの要求に応じて、ＲＯＭ又は記憶部２１０に記憶された機器情報を第１の制御部１００に送信する（ステップＳ２）。なお、機器情報には、例えば商品情報表示部１５に表示可能な文字数、画像の種類、商品情報の種類等が含まれている。
【００３８】
次に、第１の制御部１００は、機器情報を受信すると、記憶部１１０に記憶された制御情報を第２の制御部２００に送信する（ステップＳ３）。一方、第２の制御部２００は、制御情報を受信すると、該制御情報に基づき各商品選択ボタン１４と各商品情報表示部１５との対応付け処理を行う（ステップＳ４）。
【００３９】
この対応付け処理を具体的に説明すると、第２の制御部２００は、制御対象となる各商品情報表示部１５を、制御情報の「商品選択ボタン有無」に基づき特定するとともに、各商品情報表示部１５の番号を「商品情報表示部Ｎｏ．」及び「商品選択ボタン配列順」に基づき割り当てる。また、第２の制御部２００は、受信した制御情報を記憶部２１０に記憶する。なお、各商品情報表示部１５の番号が、第２の制御部２００によって事前に割り当てられている場合には、第２の制御部２００は、事前に割り当てられた番号と「商品情報表示部Ｎｏ．」とをリンクさせることにより、対応付け処理を行うようにしてもよい。
【００４０】
そして、第１の制御部１００は、商品情報と、所定の指示情報としての指示コマンドとを第２の制御部２００に送信する（ステップＳ５）。この指示コマンドには、「点灯」、「点滅」、「価格のみ点滅」等のように商品情報の表示態様を表す情報が含まれている。一方、第２の制御部２００は、商品情報及び指示コマンドを受信すると、該商品情報を、該指示コマンドに基づく表示態様で該商品に対応する商品情報表示部１５に表示させる（ステップＳ６）。例えば、「ＨＯＴ  ￥１２０」という商品情報を、「商品情報表示部Ｎｏ．＝１」の商品情報表示部１５に「点灯」させるという信号を第１の制御部１００から受信すると、該商品情報（「ＨＯＴ  ￥１２０」）を該表示態様（「点灯」）で、商品サンプル載置棚１３ａの上段左端に設けられた商品情報表示部１５に表示させる。
【００４１】
このように、第２の制御部２００が、制御情報を第１の制御部１００から受信すると、該制御情報に基づき各商品選択ボタン１４と各商品情報表示部１５との対応付け処理が行われることから、各商品選択ボタン１４と各商品情報表示部１５との対応付け処理を自動的に行うことが可能になる。
【００４２】
なお、商品情報表示部１５の機能・性能によっては、指示コマンドで指示された表示態様で商品情報を表示できない場合がある。この場合、指示コマンドの内容を変更することにより、商品情報を異なる表示態様で表示させる必要がある。以下に、指示コマンドの内容を変更する場合の動作について図７のシーケンス図を参照して説明する。
【００４３】
第１の制御部１００が、図６のステップＳ５と同様に、商品情報及び指示コマンドを第２の制御部２００に送信したときに（ステップＳ１１）、第２の制御部２００は、例えば商品情報表示部１５が指示コマンドで指示された表示態様で商品情報を表示することが不能な場合には、該不能の内容を表す所定の信号としてのエラー情報を第１の制御部１００に送信する（ステップＳ１２）。
【００４４】
一方、第１の制御部１００は、エラー情報を受信すると、指示コマンドの内容を変更して（ステップＳ１３）、変更した指示コマンドと、商品情報とを第２の制御部２００に送信する（ステップＳ１４）。指示コマンドの内容の変更について説明すると、例えば、第１の制御部１００は、「価格のみ点滅」という表示態様に対応不能という内容のエラー情報を受信した場合に、「価格のみ点滅」という表示態様を「点灯」という表示態様に変更する等して指示コマンドの内容を変更する。また、第２の制御部２００は、変更された指示コマンドと、商品情報とを受信すると、該商品情報を、該指示コマンドに基づく表示態様で該商品に対応する商品情報表示部１５に表示させる（ステップＳ１５）。
【００４５】
このように、商品情報表示部１５の機能・性能に応じて商品情報の表示態様を変更することができ、自動販売機の信頼性を向上させるとともに安定した運用を実現することができる。
【００４６】
以上のように本実施形態に係る自動販売機によれば、各商品選択ボタン１４と各商品情報表示部１５との対応付け処理を自動的に行うことができるので、各商品選択ボタン１４及び各商品情報表示部１５がそれぞれ異なる制御部１００，２００によって制御される場合でも、各商品選択ボタン１４と各商品情報表示部１５との対応付け処理を容易に行うことができる。従って、上記対応付け処理を行うための機器が不要になることから、自動販売機の製造コストを低減させることができる。
【００４７】
また、制御情報には、各商品選択ボタン１４それぞれに対応する各商品情報表示部１５を所定の順序で配列した情報が含まれるので、第２の制御部２００の対応付け処理を容易且つ確実に実行することができる。
【００４８】
さらに、第２の制御部２００は、少なくとも商品Ｃの価格を、該商品Ｃに対応する商品情報表示部１５に表示させるので、商品情報としての商品価格を利用者に知らせることができ、利便性を向上させることができる。
【００４９】
さらにまた、第２の制御部２００は、少なくとも商品Ｃの冷温状態を、該商品Ｃに対応する商品情報表示部１５に表示させるので、商品情報としての商品Ｃの冷温状態を利用者に知らせることができ、利便性を向上させることができる。
【００５０】
また、第１の制御部１００は、各商品選択ボタン１４それぞれに対応する商品Ｃの商品情報を第２の制御部２００に送信し、第２の制御部２００は、第１の制御部１００から送信された商品情報を受信すると、該商品Ｃの商品情報を、該商品Ｃに対応する商品情報表示部１５に表示させるので、例えば商品Ｃの残数等のように第１の制御部１００による販売処理に応じて適宜変更された商品情報を、利用者に知らせることができ、利便性をより向上させることができる。
【００５１】
さらに、第２の制御部２００は、第１の制御部１００から送信された指示コマンドを受信すると、商品情報を、該商品Ｃに対応する商品情報表示部１５に該指示コマンドに基づく表示態様で表示させ、第１の制御部１００は、所定のタイミングでエラー情報を第２の制御部２００から受信すると、該指示コマンドの内容を変更して第２の制御部２００に送信することから、商品情報表示部１５の機能・性能に応じて商品情報の表示態様を変更することができ、自動販売機の信頼性を向上させるとともに安定した運用を実現することができる。
【００５２】
なお、上記実施形態は本発明の具体例に過ぎず、本発明が上記実施形態のみに限定されることはない。例えば、第２の制御部２００が、記憶部２１０に事前に記憶された制御情報を第１の制御部１００に送信し、第１の制御部１００が、該制御情報を受信すると、該制御情報に基づき各商品選択ボタン１４と各商品情報表示部１５との対応付け処理を行うように構成してもよい。ここで、制御情報には、各商品情報表示部１５それぞれに対応する各商品選択ボタン１４を所定の順序で配列した情報が含まれる。具体的には、図５の「商品選択ボタンＮｏ．」、「商品選択ボタン有無」、「商品情報表示部Ｎｏ．」、「商品選択ボタン配列順」という構成が、「商品情報表示部Ｎｏ．」、「商品情報表示部有無」、「商品選択ボタンＮｏ．」、「商品情報表示部配列順」という構成となる。
【００５３】
この場合、上記実施形態と同様に、第１の制御部１００の対応付け処理を容易且つ確実に実行することができる。
【００５４】
また、上記実施形態では、第１の制御部１００は、商品情報及び指示コマンド送信後にエラー情報を第２の制御部２００から受信すると、指示コマンドの内容を変更して第２の制御部２００に送信していたが、電源投入後に第２の制御部２００から受信した機器情報に基づき指示コマンドの内容を変更してもよい。
【図１】
2011028439.tif 000003
【図２】
2011028439.tif 000004
【図３】
2011028439.tif 000005
【図４】
2011028439.tif 000006
【図５】
2011028439.tif 000007
【図６】
2011028439.tif 000008
【図７】
2011028439.tif 000009